(57)【要約】【課題】外針基にフラッシュバックの血液が残り難い留置針を提供する。【解決手段】留置針１は、内針が挿通可能な外針２と、外針２の基端に設けられた筒状の外針基３と、内針が挿通可能であり、且つ内針が抜かれた後に血液が外針基３から漏れることを防止する止血弁４と、外針基３内の空気を通過させ、外針基３内の血液の通過を抑制又は阻止する環状の通気フィルタ１４とを備える。外針基３内には、通気フィルタ１４に挿通され、且つ外針基３内に基端位置から先端位置へと前進可能な内筒部材６が配置され、止血弁４は内筒部材６に設けられ、外針基３内において、通気フィルタ１４の先端よりも外針基３の先端側の領域を先端領域１６として、内筒部材６の外周面には、外針基３の基端側から供給される液体が流れ込み、且つ基端位置では通気フィルタ１４によって先端領域１６との接続が阻止され、先端位置では先端領域１６と接続される流路９が設けられていることを特徴とする。【選択図】図５
2019088580.tif 000002
【特許請求の範囲】
【請求項１】
内針が挿通可能な外針と、
前記外針の基端に設けられた筒状の外針基と、
前記内針が挿通可能であり、且つ前記内針が抜かれた後に血液が前記外針基から漏れることを防止する止血弁と、
を備える留置針であって、
前記外針基内に基端位置から先端位置へと前進可能な内筒部材と、
前記内筒部材の外周面と前記外針基の内周面との間に位置させて、前記外針基内の空気を通過させ、前記外針基内の血液の通過を抑制又は阻止する環状の通気フィルタと、が配置され、
前記止血弁は前記内筒部材に設けられ、
前記外針基内において、前記通気フィルタの先端よりも前記外針基の先端側の領域を先端領域として、
前記内筒部材の外周面には、前記外針基の基端側から供給される液体が流れ込み、且つ前記基端位置では前記通気フィルタによって前記先端領域との接続が阻止され、前記先端位置では前記先端領域と接続される流路が設けられていることを特徴とする留置針。
【請求項２】
請求項１に記載の留置針であって、
前記外針基の内周面には、前記通気フィルタの位置決めのために径方向内方へ突出した突出部が設けられ、
前記通気フィルタの先端縁は、前記円筒部材が少なくとも前記先端位置に位置するときに、前記突出部に係止されることを特徴とする留置針。
【請求項３】
請求項１又は請求項２に記載の留置針であって、
前記流路は、前記内筒部材の基端から先端に向かって切り欠かれた切欠部であることを特徴とする留置針。
【請求項４】
請求項３に記載の留置針であって、
前記切欠部は、前記内筒部材の内周面と外周面とを連通させるように切り欠かれていることを特徴とする留置針。
【発明の詳細な説明】
【技術分野】
【０００１】
本発明は、逆止弁を備える留置針に関する。
【背景技術】
【０００２】
従来、内針を挿通可能な外針と、外針の基端に設けられた外針基と、切込部を有する弾性部材からなる止血弁と、止血弁と外針基の内周面との間に形成され外針基の内周面と止血弁とで画成される領域内の空気を外針基の外へ逃すための通気路と、を備える留置針が知られている（例えば、特許文献１参照）。
【０００３】
この留置針は、内針を止血弁の切込部を通し外針の中に挿通させた状態で、患者の血管に刺すと、外針及び外針基内に流れ込む血液（フラッシュバック）によって外針及び外針基内の空気が通気路から排出される。そして、外針基内に血液が流れ込むことにより外針が血管に刺し込まれたことを確認した後、内針を抜く。そして、輸液バッグに接続された輸液ラインのコネクタを外針基に接続して止血弁を開弁させて輸液や薬液などの液体を患者に供給する。
【先行技術文献】
【特許文献】
【０００４】
【特許文献１】特開２０１５−８０７０７号公報
【発明の概要】
【発明が解決しようとする課題】
【０００５】
従来の留置針では、患者に供給される液体は止血弁の切込部を開弁させて供給されるため、外針基の内周面（特に止血弁側）にフラッシュバックの血液が残ってしまう虞があり、血液の滞留による血栓の発生、又は雑菌の繁殖、血液が残っている外針基を視認した患者などに不快感を与えるなどの問題が生じる虞がある。
【０００６】
本発明は、以上の点に鑑み、外針基にフラッシュバックの血液が残り難い留置針を提供することを目的とする。
【課題を解決するための手段】
【０００７】
［１］上記目的を達成するため、本発明は、
内針が挿通可能な外針（例えば、実施形態の外針２。以下同一。）と、
前記外針の基端に設けられた筒状の外針基（例えば、実施形態の外針基３。以下同一。）と、
前記内針が挿通可能であり、且つ前記内針が抜かれた後に血液が前記外針基から漏れることを防止する止血弁（例えば、実施形態の止血弁４。以下同一。）と、
を備える留置針であって、
前記外針基内に基端位置から先端位置へと前進可能な内筒部材（例えば、実施形態の内筒部材６。以下同一。）と、
前記内筒部材の外周面と前記外針基の内周面との間に位置させて、前記外針基内の空気を通過させ、前記外針基内の血液の通過を抑制又は阻止する環状の通気フィルタ（例えば、実施形態の通気フィルタ１４。以下同一。）と、が配置され、
前記止血弁は前記内筒部材に設けられ、
前記外針基内において、前記通気フィルタの先端よりも前記外針基の先端側の領域を先端領域（例えば、実施形態の先端領域１６。以下同一。）として、
前記内筒部材の外周面には、前記外針基の基端側から供給される液体が流れ込み、且つ前記基端位置では前記通気フィルタによって前記先端領域との接続が阻止され、前記先端位置では前記先端領域と接続される流路（例えば、実施形態の切欠部９。以下同一。）が設けられていることを特徴とする。
【０００８】
本発明によれば、内筒部材が基端位置に位置するときには、内筒部材の外周面に設けられた流路は先端領域と接続されておらず、止血弁によって血液が外針基からこぼれることを防止することができる。そして、輸液や薬液などの液体を患者に供給するときには、内筒部材を先端位置へ移動させることにより、流路の先端が通気フィルタよりも先端側に位置して、内筒部材の外周面に設けられた流路と先端領域とが接続され、液体が流路及び先端領域を介して止血弁の周りから外針を通過して患者に供給される。
【０００９】
したがって、従来の留置針のように弁体の切込部から液体が供給されず、止血弁の周りから液体が供給されることにより、外針基の内周面（特に止血弁側）に残り易いフラッシュバックの血液を患者に供給される液体とともに患者に戻すことができ、外針基にフラッシュバックの血液が残ることを抑制して、患者などへ不快感を与えることを抑制することができる。
【００１０】
［２］また、本発明においては、前記外針基の内周面には、前記通気フィルタの位置決めのために径方向内方へ突出した突出部（例えば、実施形態の突出部１５。以下同一。）が設けられ、前記通気フィルタの先端縁は、前記内筒部材が少なくとも前記先端位置に位置するときに、前記突出部に係止されることが好ましい。かかる構成によれば、通気フィルタを外針基内に配置するときに、内筒部材が先端位置のときの流路よりも先方へ誤って配置することを防止でき、位置決めを容易に行うことができる。
【００１１】
［３］また本発明においては、前記流路は、前記内筒部材の基端から先端に向かって切り欠かれた切欠部（例えば、実施形態の切欠部９。以下同一。）で構成することができる。かかる構成によれば、内筒部材を先端位置へ移動させて切欠部を大径部と接続させることによって、外針基にフラッシュバックの血液が残ることを抑制することができる。
【００１２】
［４］また、本発明においては、前記切欠部は、前記内筒部材の内周面と外周面とを連通させるように切り欠かくこともできる。かかる構成によれば、外針基の基端から供給される輸液や薬液などの液体を、内針を挿通可能な内筒部材の内側を利用して患者に供給することができ、液体供給時の抵抗を軽減させることができる。
【図面の簡単な説明】
【００１３】
【図１】本発明の実施形態の留置針を示す説明図。
【図２】本実施形態の留置針を分解して示す説明図。
【図３】本実施形態の留置針の内筒部材が基端位置に位置した状態を示す断面図。
【図４】本実施形態の留置針の内筒部材が先端位置に位置した状態を示す斜視図。
【図５】本実施形態の留置針の内筒部材が先端位置に位置した状態を示す断面図。
【発明を実施するための形態】
【００１４】
本発明の実施形態の留置針を図１から図４を参照して説明する。
【００１５】
図１の斜視図及び図２の分解図に示すように、本実施形態の留置針１は、内針（図示省略）が挿通可能な外針２と、外針２の基端に設けられた筒状の外針基３と、内針が挿通可能であり、且つ内針が抜かれた後にフラッシュバックの血液が外針基３から漏れることを防止する止血弁４と、外針基３内の空気を外針基３の基端側から外針基３の外へ通過させ外針基３内のフラッシュバックの血液の通過を抑制又は阻止する環状の通気フィルタ１４と、を備える。通気フィルタ１４は、フラッシュバックの血液の通過を抑制し、空気の通過は許容できるように多孔質体（例えば、ポリエチレンの焼結体またはポリウレタン等）などで形成されている。また、通気フィルタ１４は、内筒部材６の外周面と外針基３の内周面との間に配置されている。
【００１６】
外針基３内には、円筒状の内筒部材６が配置されている。内筒部材６は、外針基３内で外針基３の先端方向へ移動可能であり、実施形態の説明においては、先端方向へ移動する前の初期の位置を基端位置、先端方向への前進移動が完了した位置を先端位置、として定義する。
【００１７】
止血弁４は、円柱状の弾性部材で形成されており、中央部に先端から基端まで切り込まれた切込部４ａが設けられている。図示省略した内針はこの切込部４ａを通過して外針２に挿通される。また、止血弁４は、内筒部材６内に挿入されている。
【００１８】
外針基３の内周面には、通気フィルタ１４の位置決めのために径方向内方へ突出する突出部１５が設けられている。突出部１５には、内筒部材６が少なくとも先端位置に位置するときに、通気フィルタ１４の先端縁が係止される。このとき、内筒部材６が先端位置に位置していない状態においては、通気フィルタ１４は、切欠部９と後述する先端領域１６との接続を阻止するように位置させる必要がある。
【００１９】
このように通気フィルタ１４を突出部１５に係止させることにより、内筒部材６が先端位置のときの切欠部９よりも先方へ通気フィルタ１４を誤って配置することを防止でき、位置決めを容易に行うことができる。
【００２０】
突出部１５の内径は、内筒部材６の外径よりも大きく設定されており、通気フィルタ１４から外針基３内の空気が抜けることを突出部１５によって阻止されないように構成されている。なお、突出部１５は、環状でなくてもよく、周方向に所定の間隔を存して設けられていてもよい。
【００２１】
内筒部材６には、基端から先端に向かって切り欠かれた切欠部９が一対形成されている。切欠部９は、内筒部材６の内周面と外周面とを連通させるように切り欠かれている。なお、切欠部９は輸液や薬液などが外針基３の基端側から供給されるように内筒部材６の外周面に形成されていればよく、必ずしも切欠部９が内周面まで達している必要はない。止血弁４は切欠部９よりも先端側に位置している。また、内筒部材６の内周面には、リブ６ａが設けられている。リブ６ａにより、切欠部９を形成したことによる強度低下を補っている。
【００２２】
ここで、外針基３内において、通気フィルタ１４の先端よりも外針基３の先端側の領域を先端領域１６とする。
【００２３】
図３に示すように、内筒部材６が外針基３内で基端位置に位置している場合には、通気フィルタ１４によって切欠部９と先端領域１６との接続が阻止される。逆に、図４の斜視図及び図５の断面図に示すように、内筒部材６が外針基３内で先端位置に位置している場合には、切欠部９と先端領域１６とが接続される。図５の点線矢印は液体の流れを示している。
【００２４】
第１実施形態の留置針１によれば、内筒部材６が基端位置に位置するときには、内筒部材６の外周面に設けられた切欠部９が先端領域１６との接続が通気フィルタ１４によって阻止され、止血弁４によってフラッシュバックの血液が外針基３からこぼれることを防止することができる。そして、輸液や薬液などの液体を患者に供給するときには、外針基３に接続する雄コネクタ１１などを利用して内筒部材６を押圧して先端位置へ移動させることにより、内筒部材６の外周面に設けられた切欠部９と先端領域１６とが接続され、液体が切欠部９及び先端領域１６を介して止血弁４の周りから外針２を通過して患者に供給される。
【００２５】
したがって、従来の留置針のように止血弁４の切込部から液体が供給されることなく、止血弁４の周りから液体が供給されることにより、外針基３の内周面（特に止血弁４側）に残り易いフラッシュバックの血液を患者に供給される液体と共に患者に戻すことができ、外針基３にフラッシュバックの血液が残ることを抑制して、血液の滞留による血栓の発生または雑菌の繁殖、患者などへ不快感を与えることを抑制することができる。本実施形態では、切欠部９が本発明の流路に該当する。
【００２６】
また、切欠部９が内筒部材６の内周面と外周面とを連通させるように切り欠かれていることにより、外針基３の基端から供給される輸液や薬液などの液体を、内針を挿通可能な内筒部材６の内側の空間も利用して患者に供給することができ、液体供給時の抵抗を軽減させることができる。
【００２７】
なお、本実施形態においては、内筒部材６内に止血弁４を設けたものを説明したが、本発明の止血弁はこれに限らず、例えば、内筒部材６の先端縁に先方へ突出する突出部を形成し、この突出部の先端外周面に径方向外方へ膨らむように張り出した膨出部を形成して、この膨出部および内筒部材６の先端開口を通常時は閉塞するように覆う断面Ｃ字状の止血弁を内筒部材６の先端に設けてもよい。
【００２８】
また、本実施形態においては、通気フィルタ１４を突出部１５で位置決めするものを説明した。しかしながら、本発明の留置針の構成はこれに限らず、例えば、突出部を設けることなく通気フィルタ１４を圧入などによって外針基３の内周面に固定させるだけであってもよい。
【符号の説明】
【００２９】
１  留置針
２  外針
３  外針基
４  止血弁
４ａ  切込部
６  内筒部材
６ａ  リブ
９  切欠部（流路）
１１  雄コネクタ
１４  通気フィルタ
１５  突出部
１６  先端領域
【図１】
2019088580.tif 000003
【図２】
2019088580.tif 000004
【図３】
2019088580.tif 000005
【図４】
2019088580.tif 000006
【図５】
2019088580.tif 000007